(57)【要約】  【課題】デザイン性に優れたプライスボードの印刷用データを手軽に作成することのできるプライスボード作成サービスを提供する。  【解決手段】プライスボード作成サービス提供サーバー１は、販売車両に関する情報である販売車両情報と、プライスボードのテンプレートと、を記録しておく記憶装置２０と、販売店端末５０の表示装置に表示させる、印刷用データと同じ様式のプライスボードを含むプライスボード作成ページを、記憶装置２０に記録されているテンプレートを参照しながら作成するウェブページ作成部３０と、ネットワーク５を介して販売店端末５０から受信した販売車両情報を掲載したプライスボードの印刷用データを作成するプライスボード印刷用データ作成部３５と、を備え、販売店端末５０に対して、プライスボードの印刷用データを、ネットワークを介して提供する。【選択図】図３
2018060340.tif 000002
【特許請求の範囲】
【請求項１】
販売店の販売店端末に対して、前記販売店の販売車両に設置されるプライスボードの印刷用データを、ネットワークを介して提供するプライスボード作成サービス提供サーバーにおいて、
前記販売車両に関する情報である販売車両情報と、前記プライスボードのテンプレートと、を記録しておく記憶装置と、
ウェブページを作成して前記記憶装置の前記ネットワークを介してアクセス可能な領域に記録するウェブページ作成部であって、前記販売店端末から前記販売車両情報を入力してもらうために、前記販売店端末の表示装置に表示させる、前記印刷用データと同じ様式の前記プライスボードを含むプライスボード作成ページを、前記記憶装置に記録されている前記テンプレートを参照しながら作成するウェブページ作成部と、
前記ネットワークを介して前記販売店端末から受信した前記販売車両情報を掲載した前記プライスボードの印刷用データを作成するプライスボード印刷用データ作成部と、
を備えることを特徴とするプライスボード作成サービス提供サーバー。
【請求項２】
前記ウェブページ作成部は、前記ウェブページとして、
一般ユーザーに対して前記販売車両を紹介するための前記販売車両情報が掲載された販売車両ページを、前記プライスボード作成のために受信して前記記憶装置に記憶されている前記販売車両情報に基づいてさらに作成することを特徴とする請求項１記載のプライスボード作成サービス提供サーバー。
【請求項３】
前記ウェブページ作成部は、前記ウェブページとして、
前記プライスボードに掲載される前記販売車両情報に追加して前記販売車両ページに掲載するための追加車両情報を前記販売店端末から入力してもらうために、前記販売店端末の前記表示装置に表示させる追加車両情報入力ページをさらに作成することを特徴とする請求項２記載のプライスボード作成サービス提供サーバー。
【請求項４】
前記記憶装置に記録されている前記テンプレートは、掲載されている文字のフォントとしてｗｅｂフォントを採用していることを特徴とする請求項１乃至３何れか１項記載のプライスボード作成サービス提供サーバー。
【請求項５】
販売店の販売店端末に対して、前記販売店の販売車両の設置されるプライスボードの印刷用データを、ネットワークを介して提供するプライスボード作成サービスをコンピューターに行わせるためのプライスボード作成サービス提供プログラムにおいて、
ウェブページを作成して前記ネットワークを介してアクセス可能な前記コンピューターの記憶装置に記録するウェブページ作成ステップであって、前記販売店端末から前記販売車両に関する情報である販売車両情報を入力してもらうために、前記販売店端末の表示装置に表示させる、前記印刷用データと同じ様式の前記プライスボードを含むプライスボード作成ページを、前記記憶装置に記録されている前記プライスボードのテンプレートを参照しながら作成するウェブページ作成ステップと、
前記ネットワークを介して前記販売店端末から受信した前記販売車両情報を掲載した前記プライスボードの印刷用データを作成するプライスボード印刷用データ作成ステップと、
を前記コンピューターに実行させることを特徴とするプライスボード作成サービス提供プログラム。
【発明の詳細な説明】
【技術分野】
【０００１】
本発明は、車名、価格等の販売車両情報が掲載されたプライスボードの作成サービスを提供するプライスボード作成サービス提供サーバーに関する。
【背景技術】
【０００２】
自動車等の車両の販売店では、販売車両の車名、価格、グレード等の販売車両情報が掲載されたプライスボードを販売車両のダッシュボード上に設置して、来場者に販売車両情報を分かり易く掲示するようにしている。
【０００３】
例えば、下記特許文献１には、車両情報が掲載された紙製等のプライスボードを、取り付けキットを用いて自動車のダッシュボードに設置することが開示されている。
【先行技術文献】
【特許文献】
【０００４】
【特許文献１】特開２０１０−８７７９号公報
【発明の概要】
【発明が解決しようとする課題】
【０００５】
従来のプライスボードは、販売車両情報の各項目が空欄になった書き換え可能なボードに対して、担当者が手書きで書き込んだり、ＰＣを使って担当者がプライスボードの印刷用の電子データを作成し、プリンタで印刷したりするなどして作成されていた。
【０００６】
しかし、手書きのプライスボードでは、デザイン性に限界があり、購入検討のために来店した一般ユーザーに対する訴求力に欠ける。また、印刷用データをパソコンで作成するにもデザインが画一的になりがちであり、また、デザイン用アプリケーションの操作に慣れている担当者がいれば良いが、慣れた担当者の居ない店舗では、手書きのプライスボードを使わざるを得ない。
【０００７】
本発明は、このような課題に鑑みてなされたものであり、デザイン性に優れたプライスボードの印刷用データを手軽に作成することのできるプライスボード作成サービス提供サーバーを提供することを目的とする。
【課題を解決するための手段】
【０００８】
上記課題を解決するために、本発明に係るプライスボード作成サービス提供サーバーは、販売店の販売店端末に対して、前記販売店の販売車両に設置されるプライスボードの印刷用データを、ネットワークを介して提供するプライスボード作成サービス提供サーバーにおいて、前記販売車両に関する情報である販売車両情報と、前記プライスボードのテンプレートと、を記録しておく記憶装置と、ウェブページを作成して前記記憶装置の前記ネットワークを介してアクセス可能な領域に記録するウェブページ作成部であって、前記販売店端末から前記販売車両情報を入力してもらうために、前記販売店端末の表示装置に表示させる、前記印刷用データと同じ様式の前記プライスボードを含むプライスボード作成ページを、前記記憶装置に記録されている前記テンプレートを参照しながら作成するウェブページ作成部と、前記ネットワークを介して前記販売店端末から受信した前記販売車両情報を掲載した前記プライスボードの印刷用データを作成するプライスボード印刷用データ作成部と、を備えることを特徴とする。
【０００９】
また、本発明に係るプライスボード作成サービス提供プログラムは、販売店の販売店端末に対して、前記販売店の販売車両の設置されるプライスボードの印刷用データを、ネットワークを介して提供するプライスボード作成サービスをコンピューターに行わせるためのプライスボード作成サービス提供プログラムにおいて、ウェブページを作成して前記ネットワークを介してアクセス可能な前記コンピューターの記憶装置に記録するウェブページ作成ステップであって、前記販売店端末から前記販売車両に関する情報である販売車両情報を入力してもらうために、前記販売店端末の表示装置に表示させる、前記印刷用データと同じ様式の前記プライスボードを含むプライスボード作成ページを、前記記憶装置に記録されている前記プライスボードのテンプレートを参照しながら作成するウェブページ作成ステップと、前記ネットワークを介して前記販売店端末から受信した前記販売車両情報を掲載した前記プライスボードの印刷用データを作成するプライスボード印刷用データ作成ステップと、を前記コンピューターに実行させることを特徴とする。
【発明の効果】
【００１０】
本発明に係るプライスボード作成サービス提供サーバーによれば、ネットワークを介して、デザイン性に優れたプライスボードの印刷用データを手軽に作成することができる。
【図面の簡単な説明】
【００１１】
【図１】図１は、本発明の実施形態に係るプライスボード作成サービス提供システムの構成を概略的に示す図である。
【図２】図２は、本発明の実施形態に係る管理サーバーの構成を概略的に示すブロック図である。
【図３】図３は、本発明の実施形態に係る管理サーバーが有する機能を概略的に示す機能ブロック図である。
【図４】図４は、本発明の実施形態に係るプライスボード作成サービスの処理の流れを示すフローチャートである。
【図５】図５は、本発明の実施形態に係るプライスボード作成ページの一例を示す図である。
【図６】図６は、本発明の実施形態に係るプライスボードの印刷用データの一例を示す図である。
【図７】図７は、本発明の実施形態に係る追加車両情報入力ページの一例を示す図である。
【図８】図８は、本発明の実施形態に係る販売車両ページの一例を示す図である。
【発明を実施するための形態】
【００１２】
以下、図面を参照しながら本発明の実施形態に係るプライスボード作成サービス提供システムについて説明する。本実施形態では、中古車等の車両を販売している車販売店に対して、販売車両のフロントガラス内側のダッシュボードの上に設置するプライボードの印刷用データ（ｐｄｆデータ）を、ネットワークを介して提供する場合について説明する。
【００１３】
図１は、本実施形態に係るプライスボード作成サービス提供システムの構成を概略的に示す図である。図２は、本実施形態に係るプライスボード作成サービス提供サーバーである管理サーバーの構成を概略的に示すブロック図である。図３は、本実施形態に係る管理サーバーが有する機能を概略的に示す機能ブロック図である。
【００１４】
プライスボード作成サービス提供システム１は、プライスボード作成サービスを提供するプライスボード作成サービス提供サーバーである管理サーバー１０と、プライスボード作成サービスを受ける車販売店が使用するＰＣ等の端末である販売店端末５０と、車の購入等を目的として、販売車両の情報を検索する一般ユーザーが使用するスマートフォンやＰＣ等の端末である一般ユーザー端末６０と、ＳＮＳ（Social networking Service）を提供するサーバーであるＳＮＳサーバー７０とを備えている。
【００１５】
管理サーバー１０と、販売店端末５０と、一般ユーザー端末６０と、ＳＮＳサーバー７０とは、インターネット等のネットワーク５によって接続されており、相互に通信が可能である。
【００１６】
管理サーバー１０は、各種演算を行うＣＰＵ等の演算装置１１と、各種情報を記録しておくハードディスクドライブや、演算処理のワークエリアとして機能するメモリ等からなる記憶装置２０とを備えている。
【００１７】
記憶装置２０は、管理サーバー１０において後述する所定の処理を実行するための各種プログラムを記録しておくプログラム格納部２１と、プライスボード作成サービスを利用する車販売店に関する情報を格納する車販売店情報ＤＢ２２と、プライスボードが作成された販売車両に関する情報を格納する販売車両情報ＤＢ２３と、プライスボードのテンプレートに関するデータを格納するプライスボードテンプレートＤＢ２４と、ウェブページのコンテンツを格納するｗｅｂコンテンツＤＢ２５と、ウェブページやプライスボードで使用されるフォントのデータを格納するフォントＤＢ２８と、を備えている。
【００１８】
販売車両情報ＤＢ２３に記録されている各販売車両のレコードは、項目値として、「車名」、「グレード・ミッション・排気量」、「販売価格」、「納車時の整備費用込み」、「リサイクルの追加が必要な装備」、「初年度登録」、「車検制限」、「走行距離」、「前使用者の点検整備記録簿」、「修復歴」、「自家用車・営業車・レンタカー・その他」、「保証」、「定期点検整備」の情報を含んでいる。
【００１９】
プライスボードテンプレートＤＢ２４に記録されている各プライスボードテンプレートのレコードは、プライスボードの背景画像、表示項目、レイアウト、文字のフォント（ｗｅｂフォント）等の情報を含んでいる。
【００２０】
フォントＤＢには、所定のｗｅｂフォントがコピーして記録されている。本実施形態では、プライスボードに掲載される文字のフォントとしてｗｅｂフォントを採用している。このため、後述するプライスボード作成ページ（ウェブページ）と同じｗｅｂフォントを使用することで、プライスボード作成ページに表示されるプライスボードと、実際に作成されるプライスボードの印刷用データとを同じイメージとすることができると共に、他のｗｅｂフォントへの変更、すなわちプライスボードテンプレートのデザイン変更等も容易に行うことができる。
【００２１】
また、機能に着目すると、管理サーバー１０は、プライスボード作成用のウェブページや販売車両情報を掲載した販売車両ページ等、車販売店や一般ユーザーが閲覧するウェブページを作成するウェブページ作成部３０と、車販売店が入力した販売車両情報に基づいてプライスボードの印刷用データであるｐｄｆデータを作成するプライスボードデータ作成部３５とを備えている。
【００２２】
ウェブページ作成部３０は、プライスボードテンプレートＤＢ２４に格納されているプライスボードテンプレートの情報を利用して、販売店端末５０の表示装置に表示されるプライスボード作成ページを作成する。なお、上述したウェブページ作成部３０と、プライスボードデータ作成部３５の機能は、プログラム格納部２１に格納されているウェブページ作成プログラムやプライスボードデータ作成プログラムを演算装置１１が実行することで実現される。
【００２３】
以上、プライスボード作成サービス提供システム１の構成について説明したが、続いて、図４〜図８を参照しながら、本システムにおけるプライスボード作成サービスの処理の流れについて説明する。図４は、本実施形態に係るプライスボード作成サービスの処理の流れを示すフローチャートである。
【００２４】
まず、プライスボード作成サービスを利用したい車販売店が作成を開始する（Ｓ１）と、まず、Ｓ２において、販売店端末５０がネットワーク５を介して管理サーバー１０にアクセスして、本サービスを利用するためのウェブページのコンテンツを要求する。
【００２５】
Ｓ３では、管理サーバー１０から販売店端末５０へ、プライスボードを作成するためのウェブページのコンテンツ情報が送信され、販売店端末５０のディスプレイにプライスボード作成ページが表示される（Ｓ４）。図５は、本実施形態に係るプライスボード作成ページの一例を示す図である。
【００２６】
このプライスボード作成ページには、プライスボードテンプレートＤＢ２４に格納されているプライスボードテンプレートの情報を利用して、後で作成されるプライスボードの印刷用データと同じ様式のプライスボードが大きく表示されると共に、その下側の画面下縁部分にプライスボードのテンプレート選択領域が表示されている。テンプレート選択領域には、プライスボードテンプレートＤＢ２４に格納されているテンプレートが選択肢として複数表示される。
【００２７】
プライスボード作成ページに大きく表示されるプライスボードは、テンプレート選択領域により選択されたプライスボードであり、各項目を選択すると数値等の項目値を入力したり、有・無等の各項目値の選択肢を選択したりすることができる。
【００２８】
Ｓ４において、プライスボード作成ページが販売店端末５０に表示されると、続いて、Ｓ５に進み、販売店端末５０において、販売車両情報等の入力が行われる。具体的には、車販売店の担当者がプライスボードテンプレートの中から所望のテンプレートを選択すると共に、選択したプライスボードを表示させた状態で販売車両情報の入力を行う。
【００２９】
上述したように、販売車両情報としては、車名、グレード・ミッション・排気量、販売価格、納車時の整備費用込み、リサイクルの追加が必要な装備、初年度登録、車検制限、走行距離、前使用者の点検整備記録簿、修復歴、自家用車・営業車・レンタカー・その他、保証、定期点検整備の項目が含まれており、担当者は、順次これらの情報を全て入力する。
【００３０】
本実施形態においては、担当者が入力した情報は、随時プライスボード作成ページ上に反映されて表示されるため、担当者は最終的に印刷されるプライスボードのイメージを常時確認しながら、販売車両情報を入力していくことができる。なお、当該車販売店が初めて本サービスを利用する場合には、車販売店情報ＤＢ２２に登録するために、販売店の名称、連絡先等の車販売店情報も合わせて入力してもらう。また、車販売店情報に変更があった場合にも変更内容を入力してもらう。
【００３１】
Ｓ５において入力された情報（選択されたテンプレート情報、販売車両情報等）は、Ｓ６において、販売店端末５０から管理サーバー１０へと送信される。これらの情報を受信した管理サーバー１０は、Ｓ１０において、受信した情報に基づいて、プライスボード印刷用データを作成する。
【００３２】
具体的には、プライスボードデータ作成部３５が、受信した情報に基づいて、プライスボードの印刷用データ（ｐｄｆデータ）を作成する。作成にあたって、プライスボード作成部３５は、受信した情報を解析し、html5のcanvas機能を利用して、プライスボードのｐｄｆデータを作成する。図６は、本実施形態に係るプライスボードの印刷用データの一例である。
【００３３】
このとき、プライスボードに掲載された文字のフォントデータは、ｗｅｂフォントがコピーして記録されているフォントＤＢ２８から取得する。但し、ネットワーク５を介して外部のサーバーからｗｅｂフォントのデータを取得するように構成しても良い。
【００３４】
続いて、Ｓ１１では、Ｓ６で受信した販売車両情報により新しい販売車両のレコードを販売車両情報ＤＢ２３に追加記録して更新する。また、Ｓ５において、車販売店情報を新規入力や変更入力があった場合には、合わせて車販売店情報ＤＢ２２も更新する。
【００３５】
次に、Ｓ１５では、管理サーバー１０において作成されたプライスボード印刷用のｐｄｆデータと、プライスボードが作成された販売車両情報が掲載されたｗｅｂコンテンツ（販売車両ページ）を作成して一般ユーザーに一般公開するかどうかの問合せが、管理サーバー１０から販売店端末５０へと送られる。
【００３６】
Ｓ２０においては、プライスボードの印刷用ｐｄｆデータを受信した販売店端末５０において、車販売店に設置されたプリンタを使ってプライスボードの印刷が行われる。すなわち、図６に示したプライスボードの印刷用のｐｄｆデータがそのままのデザインで印刷される。プライスボードを作成した車販売店では、取り付けキット等を用いてプライスボードを展示販売車両のダッシュボード上等の所定の位置に設置する。
【００３７】
Ｓ２１では、販売店端末５０において、販売車両ページを一般公開するかどうかの問合せに対して、公開又は非公開の選択が行われる。選択結果は、Ｓ２２において、販売店端末５０から管理サーバー１０へと送られる。販売車両ページの一般公開を行わないとの回答を受信した場合には、管理サーバー１０は、当該販売車両に対する処理を終了する。
【００３８】
一方、販売車両ページの一般公開を行うとの回答を受信した場合には、Ｓ３０に進み、管理サーバー１０から販売店端末５０へと、プライスボード作成時にＳ５において既に入力された販売車両情報に加えて、販売車両ページ作成用に追加の車両情報を入力するためのウェブページ（追加車両情報入力ページ）のコンテンツ情報が送信される。追加車両情報入力ページは、ウェブページ作成部３０が作成する。
【００３９】
Ｓ２６では、販売店端末５０のディスプレイに追加車両情報入力ページが表示され、車販売店の担当者により、追加情報の入力が行われる。図７は、本実施形態に係る追加車両情報入力ページの一例を示す図である。追加情報としては、例えば、車両の写真データや当該販売車両に対する店長コメント等が入力される。
【００４０】
入力された追加車両情報は、Ｓ２７において、販売店端末５０から管理サーバー１０へと送信される。追加車両情報を受信した管理サーバー１０は、Ｓ３０において、ウェブページ作成部３０が、一般ユーザーに当該販売車両を紹介するための販売車両ページの作成を行う。具体的には、Ｓ６で受信した販売車両情報及びＳ２７で受信した追加車両情報に基づいて、当該販売車両の各種情報が掲載されたウェブページである販売車両ページを作成する。
【００４１】
図８は、本実施形態に係る販売車両ページの一例を示す図である。作成された販売車両ページは、ｗｅｂコンテンツＤＢ２５において、ネットワーク５を介して一般ユーザー端末６０からアクセス可能な記録領域に記録される。これにより、一般ユーザーがスマホやＰＣ等の一般ユーザー端末６０を使って、当該販売車両ページを自由に閲覧可能になる。
【００４２】
図８に示すように、販売車両ページには、ＳＮＳへのリンク生成ボタン「お気に入りに追加」が表示されており、一般ユーザーがこのボタンをクリックすることで、その一般ユーザーのＳＮＳページに当該販売車両ページへのリンクを自動的に作成・掲載することができる。
【００４３】
以上、本実施形態に係るプライスボード作成サービス提供システムについて説明したが、本実施形態によれば、プライスボード作成サービス提供サーバーである管理サーバー１０が提供するプライスボードテンプレートから所望のものを選択して、所定の販売車両情報を入力するだけで、デザイン性に優れたプライスボードを手軽に作成することができる。
【００４４】
また、本実施形態においては、プライスボード作成サービスの提供を受ける車販売店の販売店端末に表示されるプライスボード作成画面がプライスボードの印刷用データと同じ様式であるため、車販売店の担当者は、実際に作成されるプライスボードのイメージを常時確認しながらプライスボードを作成することができる。
【００４５】
また、本実施形態では、販売車両について所定の販売車両情報を入力してプライスボードを作成すると、当該販売車両のｗｅｂコンテンツである販売車両ページを最小限の追加情報だけで手軽に作成し、一般ユーザーに対して公開することができる。すなわち、プライスボードを作成する作業を行うと、インターネット上の販促活動も合わせて簡単に行うことができ、車販売店にとってメリットが大きい。
【００４６】
さらに、一般公開される販売車両ページには、ＳＮＳへのリンク作成ボタンが含まれており、一般ユーザーが閲覧した販売車両に興味を持って自己のＳＮＳページにリンクを貼れば、販売車両情報がより広く拡散され、より販促効果を得ることができる。
【００４７】
以上、本発明に係る実施形態について説明したが、本発明は上述した実施形態に限定されるものではなく、本発明の主旨を逸脱しない範囲内で種々の変形が可能である。例えば、上述した管理サーバーの機能は、単一のサーバーに限らず、複数のサーバーで分散して行わせるようにしても良い。
【００４８】
また、上記実施形態に係るプライスボード作成サービスの対象である車両は、自家用四輪車に限らず、バイク、トラック、コンバイン等の農業用車両等、広く種々の車両に用いるプライスボードに対して適用することができる。
【００４９】
また、上記実施形態では、プライスボードの印刷用データとしてｐｄｆデータを作成したが、印刷用データのフォーマットはｐｄｆデータに限らず、ＪＰＥＧ、ＢＭＰ等の画像データや、ワード、一太郎等のドキュメント形式の印刷用データ等、種々のフォーマットを採用することができる。
【符号の説明】
【００５０】
１    プライスボード作成サービス提供システム
１０  管理サーバー
１１  演算装置
２０  記憶装置
２１  プログラム格納部
２２  車販売店情報ＤＢ
２３  販売車両情報ＤＢ
２４  プライスボードテンプレートＤＢ
２５  ｗｅｂコンテンツＤＢ
２８  フォントＤＢ
３０  ウェブページ作成部
３５  プライスボードデータ作成部
５０  販売店端末
６０  一般ユーザー端末
７０  ＳＮＳサーバー
５    ネットワーク
【図１】
2018060340.tif 000003
【図２】
2018060340.tif 000004
【図３】
2018060340.tif 000005
【図４】
2018060340.tif 000006
【図５】
2018060340.tif 000007
【図６】
2018060340.tif 000008
【図７】
2018060340.tif 000009
【図８】
2018060340.tif 000010